(57)【要約】【課題】格子枠体を横開きすることができるようにすることで、脱出が円滑に行える面格子を提供する。【解決手段】建物に固定する外枠２の内部に、一方の側縁を支点にして、この外枠２内に納まる状態から室外側に開放可能となる格子枠体３を取り付け、上記外枠２の格子枠体３が開閉動する側の縦桟２ａに、起伏動自在となるレバー１１を伏倒させた状態で、開閉操作杆１２を移動させることにより、閉位置にある格子枠体３に対して掛け金１０が係脱自在となる施錠装置７が装着されている。【選択図】  図５
2004218329.tif 000002
【特許請求の範囲】
【請求項１】
建物側に固定する外枠に、一方の側縁側を支点にして、この外枠内に納まる状態から室外側に開放可能となる格子枠体を取り付け、上記外枠の格子枠体が開閉動する側の縦桟に、起伏動自在となるレバーを伏倒させた状態で、閉位置にある格子枠体に対して掛け金が係脱自在となる施錠装置を装着した面格子。
【請求項２】
ケースに、ピンで揺動自在となるよう枢止した掛け金と、同じく先端部を枢止するピンを支点に揺動自在となるレバーを取り付け、上記レバー内に長さ方向への移動が可能となるよう収納した開閉操作杆の先端部と掛け金の上部を、レバーの水平状態で開閉操作杆を移動させると掛け金が揺動するよう、上記ケースで水平移動可能に保持したピンで枢止結合し、上記開閉操作杆をその後端がレバーの後端から突出する長さに設定した面格子の施錠装置。
【発明の詳細な説明】
【０００１】
【発明の属する技術分野】
この発明は、面格子とこれに用いる施錠装置、更に詳しくは、建物の窓に取り付けることにより、外部からの侵入を防ぐと同時に、火災等の非常時には脱出のために室内側から簡単に開放することができるようにした面格子と施錠装置に関する。
【０００２】
【従来の技術】
建物の窓等には、建物の窓等に防犯や採光の調整、プライバシー保護等の目的で面格子を取り付けることが行われている。
【０００３】
上記面格子は、火災等の非常時には脱出のために面格子本体を室内側から開放することができる機能が要求され、このような面格子としては、例えば、面格子本体を外側に跳ね上げ、窓との間に隙間を確保することで、脱出の通路を確保できるようにした跳ね上げ式の面格子が、例えば、特開平１０−２０５２３９号によって提案されている。
【０００４】
また、外枠内に面格子本体を横移動可能に装着し、非常時に面格子本体をスライドさせることにより、脱出用の通路を確保するようにした面格子が、特開２０００−７３６４５号によって提案されている。
【０００５】
【発明が解決しようとする課題】
しかし、前者ような跳ね上げ式の面格子は、面格子本体の上部を建物に枢止し、面格子本体の下部を外方に押し出すことで傾斜させるようになっているため、窓との間に生じる隙間を確保するために面格子本体の押上状態を保持していなければならず、脱出が円滑に行えないという不便がある。
【０００６】
また、後者の横移動方式の面格子は、閉鎖状態の保持のための施錠装置が横移動の防止するために複雑な構造を採用しなければならず、施錠装置が高価になるという問題がある。
【０００７】
そこで、この発明の課題は、面格子本体を横開きすることができるようにすることで、脱出が円滑に行える面格子と、横開きを係止することで構造の簡略化が図れる施錠装置を提供することにある。
【０００８】
【課題を解決するための手段】
上記のような課題を解決するため、請求項１の発明は、建物側に固定する外枠に、一方の側縁側を支点にして、この外枠内に納まる状態から室外側に開放可能となる格子枠体を取り付け、上記外枠の格子枠体が開閉動する側の縦桟に、起伏動自在となるレバーを伏倒させた状態で、閉位置にある格子枠体に対して掛け金が係脱自在となる施錠装置を装着した構成を採用したものである。
【０００９】
請求項２の発明は、ケースに、第１のピンで揺動自在となるよう枢止した掛け金と、同じく先端部を枢止する第２のピンを支点に揺動自在となるレバーを取り付け、上記レバー内に長さ方向への移動が可能となるよう収納した開閉操作杆の先端部と掛け金の上部を、レバーの水平状態で開閉操作杆を移動させるとレバーが揺動するよう、上記ケースで水平移動可能に保持した第３のピンで枢止結合し、上記開閉操作杆をその後端がレバーの後端から突出する長さに設定した構成を採用したものである。
【００１０】
ここで、外枠に対して二枚の格子枠体が両側に並列する配置で収まり、一方の格子枠体は外枠に固定化し、他方の格子枠体は、一方の格子枠体に蝶番で取り付けられ、外枠内に納まる状態から室外側に回動可能になっていると共に、この格子枠体の枠体における開閉動する側の縦桟に、施錠装置の係止片が固定され、外枠内に格子枠体が納まる状態で、施錠装置を施錠すると、掛け金が係止片に係合してこれを室内側に引き込むことで、格子枠体を固定化することになる。
【００１１】
上記格子枠体は、枠体内に多数の縦桟又は横桟を設けたものでも、枠体内に水平のルーバーを上下に一定間隔の配置で取り付け、上下ルーバーを角度可変に連動し、採光や視界の調整が可能とした構造を採用してもよい。
【００１２】
また、施錠装置のケースは平面コ字状に形成され、外枠の縦桟に室内側に開口面が向くよう固定され、このケース内に挿入したレバーの先端部で掛け金と反対側の側面が第２のピンでケースに枢止され、このピンを中心にして起伏動自在になっていると共に、レバーの先端部で掛け金側の側面に長さ方向に沿って長溝が設けられ、この長溝が、レバーの内部に収納した開閉操作杆の先端部と掛け金の上部を枢止結合する第３のピンに外嵌している。
【００１３】
上記第３のピンは、開閉操作杆と一体に移動することになり、レバーを水平に伏倒させた状態で、開閉操作杆を前後に移動させると、掛け金は第１のピンを支点に揺動し、先端の鉤爪が格子枠体に固定した係止片に係脱することになる。
【００１４】
また、レバーを水平に伏倒させ、開閉操作杆を前方に押して掛け金の鉤爪を格子枠体の係止片に係合させた施錠状態にすると、第２のピンと第３のピンは略同軸心の配置になり、これによって、レバーを水平状態から外枠の縦桟に沿う起立姿勢にすることができる。
【００１５】
【発明の実施の形態】
以下、この発明の実施の形態を添付図面に基づいて説明する。
【００１６】
図１乃至図３のように、面格子１は、建物における窓のサッシに既知の手段で固定する外枠２内に二枚の格子枠体３が両側に並列する配置で収まり、一方の格子枠体３は外枠２に固定化し、他方の格子枠体３は、一方の格子枠体３に蝶番４で取り付けられ、蝶番４を支点にして外枠２内に納まる状態から室外側に回動可能になっている。
【００１７】
図５と図６のように、上記格子枠体３は、外枠２内に納まる閉鎖状態で、その枠体５の縦桟５ａにおける室外側の外側縁に設けた翼片６が外枠２の縦桟２ａにおける外面に重なるようになっていると共に、外枠２の格子枠体３が開閉動する側の縦桟２ａに施錠装置７が装着され、また、格子枠体３の枠体５における開閉動する側の縦桟５ａに、施錠装置７の係止片８が固定されている。
【００１８】
上記施錠装置７は、図８のように、外枠２の縦桟２ａに固定するケース９と、このケース９に枢止した掛け金１０と、ケース９に先端部を枢止して起伏自在となるレバー１１と、このレバー１１内に長さ方向への移動が自在となるよう収納され、掛け金１０を揺動させるための開閉操作杆１２とを備えている。
【００１９】
上記ケース９は、金属板を平面コ字状に折り曲げて形成され、外枠２の角筒状に形成された縦桟２ａにおける側面で上下中間部の位置に、室内側に開口が向くよう固定され、該ケース９の縦桟２ａへの固定と反対側の側面には水平の長溝１３が設けられている。
【００２０】
上記掛け金１０は、先端側に下向きに屈曲する鉤爪１４が設けられ、後端側には、下部の位置に、第１のピン１５でケース９に枢止するための取り付け孔１６と、上部の位置に第２のピン１７で上記開閉操作杆１２の先端部と枢止連結するための上下方向の長孔１８とが設けられ、図６のように、ケース９の縦桟２ａへの固定と反対側の側面に、取り付け孔１６を利用して第１のピン１５で枢止され、ケース９の前面から鉤爪１４が突出する状態で、第１のピン１５を支点に回動可能に取り付けられている。
【００２１】
このような掛け金１０の取り付け状態で、長孔１８がケース９の長溝１３と重なり合うように一致可能になる。
【００２２】
上記レバー１１は、ケース９内に嵌まる幅を有する所定長さの角パイプを用いて形成され、先端部には断面コ字状の補強金具１９が外嵌固定され、この先端部で外枠２側の側面が第３のピン２１でケース９及び外枠２の縦桟２ａに枢止され、第３のピン２１を支点に水平状態から起立する起伏動自在になっている。
【００２３】
このレバー１１の先端部で掛け金１０側に臨む側面に、長さ方向に沿って長溝２０が設けられ、レバー１１を水平に伏倒させるとこの長溝２０がケース９の長溝１３と重なり合うように平行状態で一致することになる。
【００２４】
上記開閉操作杆１２は、長い帯板を用いて形成され、レバー１１の内部に長さ方向への移動が自在となるように収納した状態で、開閉操作杆１２の先端部と掛け金１０の長孔１８が、両長溝１３と２０を貫通する第２のピン１７で連結され、開閉操作杆１２の長さ方向への移動で掛け金１０が回動するようになっている。
【００２５】
上記レバー１１の後端に、筒状のカバー２２が延長状に設けられ、開閉操作杆１２の後端には、カバー２２の内部に収まり、後端がカバー２２の後端から突出するツマミ２３が固定され、ツマミ２３のカバー２２から突出する部分を指先で摘んで押し引きすることにより、開閉操作杆１２を長さ方向に移動させることができるようになっている。
【００２６】
上記レバー１１は、水平に伏倒させた状態で、その長溝２０がケース９の長溝１３と平行状に一致するので、開閉操作杆１２と掛け金１０を連結する第２のピン１７は、両長溝１３と２０に沿って移動可能となり、これによって、開閉操作杆１２による掛け金１０の回動が操作可能になる。
【００２７】
開閉操作杆１２を後方に引いた開錠状態時は、掛け金１０の後部上端が後方に引かれ、この掛け金１０は鉤爪１４が上方に回動して縦桟５ａの係止片８よりも上方に位置し、格子枠体３の開閉が自由に行えることになる。
【００２８】
このとき、第２のピン１７は、長溝１３と２０に沿って後方に引かれることで第３のピン２１に対して後方に変位し、第２のピン１７と第３のピン２１の軸心がずれ、第２のピン１７と長溝２０が回り止めとなり、従って、レバー１１は第２のピン１７と第３のピン２１で水平状態が保持され、上方への回動が不能になる。
【００２９】
また、外枠２内に格子枠体３を納めた閉鎖状態で、開閉操作杆１２を押し込むと、掛け金１０の鉤爪１４が下方に回動し、縦桟５ａの係止片８に上部から係合することにより、格子枠体３を室内側に引き込んだ施錠の状態になり、このような施錠の状態では、前方に移動した第２のピン１７は第３のピン２１と同軸心の配置となり、従って、第２のピン１７と第３のピン２１を支点にしてレバー１１を起立させることができることになる。
【００３０】
なお、図示の場合、格子枠体３は、枠体５内に水平のルーバー２４を上下に一定間隔の配置で取り付け、上下ルーバー２４を角度可変に連動し、採光や視界の調整が可能としたルーバー方式を示したが、枠体５内に多数の縦桟又は横桟を固定して設けた構造を採用してもよい。
【００３１】
この発明の面格子１は、上記のような構成であり、建物の窓におけるサッシの室外側に外枠２を固定することにより取り付け、防犯や採光の調整、プライバシー保護等を行うものであり、格子枠体３を外枠２内に納めた通常の閉鎖状態では、図４のように、掛け金１０の鉤爪１４が下方に回動して縦桟５ａの係止片８に上部から係合し、格子枠体３を室内側に引き込んだ施錠の状態になり、レバー１１は縦桟２ａに沿うよう起立させておく。
【００３２】
建物の窓から室外に緊急脱出が必要な事態の場合は、先ず、図４の起立状態にあるレバー１１を、図５（ｂ）のように室内側へ水平に伏倒させ、次に、レバー１１の後端から突出する開閉操作杆１２のツマミ２３を手前に引くと、図７のように、開閉操作杆１２が後方に引かれることで掛け金１０は鉤爪１４が上方に回動して縦桟５ａの係止片８から係合が外れ、開錠の状態になるので、格子枠体３を室外側に向けて押せば、外枠２内が開放されることになり、窓からこの開放部分を通って室外に脱出することができる。
【００３３】
また、緊急脱出の事態が解消して面格子１を閉じる場合は、外枠２に対して格子枠体３を閉位置にした状態で、レバー１１の後端から突出する開閉操作杆１２のツマミ２３を押し込めば、掛け金１０の鉤爪１４が下方に回動して縦桟５ａの係止片８に上部から係合し、格子枠体３を室内側に引き込んで施錠し、この時点で第２のピン１７は第３のピン２１と同軸心の配置となるので、レバー１１を上方に回動させて図４の起立状態にして縦桟２ａに沿わせるようにすればよい。
【００３４】
【発明の効果】
以上のように、この発明によると、建物に固定する外枠に室外側へ開放可能となる格子枠体を取り付け、外枠の格子枠体が開閉動する側の縦桟に、起伏動自在となるレバーを伏倒させた状態で、閉位置にある格子枠体に対して掛け金が係脱自在となる施錠装置を装着したので、格子枠体を横開きすることができ、脱出時に格子枠体を保持する必要がないので、脱出が円滑に行えると共に、通常は施錠装置による格子枠体の固定化により、防犯機能を確実に維持することができる。
【００３５】
また、施錠装置は、ケースに枢止した掛け金を、レバー内の開閉操作杆で揺動させることで、施錠と開錠が行えるようにしたので、横開きとなる格子枠体を簡単な構造で係止することができ、構造の簡素化による製作コストダウンが図れることになる。
【図面の簡単な説明】
【図１】この発明に係る面格子の格子枠体を閉じた斜視図
【図２】この発明に係る面格子の格子枠体を開いた状態の斜視図
【図３】この発明に係る面格子の格子枠体を閉じた背面図
【図４】施錠装置を取り付けた面格子の施錠状態を示す図３の矢視ＩＶ−ＩＶの縦断面図
【図５】（Ａ）は施錠装置のレバーを水平に伏倒させた施錠状態の横断面図、（Ｂ）は同縦断面図
【図６】施錠装置のレバーを水平に伏倒させた状態の拡大した横断面図
【図７】施錠装置を取り付けた面格子の開錠状態を示す縦断面図
【図８】施錠装置の構造を示す分解斜視図
【符号の説明】
１  面格子
２  外枠
２ａ  縦桟
４  蝶番
５  枠体
５ａ  縦桟
６  翼片
７  施錠装置
８  係止片
９  ケース
１０  掛け金
１１  レバー
１２  開閉操作杆
１３  長溝
１４  鉤爪
１５  第１のピン
１６  取り付け孔
１７  第２のピン
１８  長孔
１９  補強金具
２０  長溝
２１  第３のピン
２２  カバー
２３  ツマミ
２４  ルーバー
【図１】
2004218329.tif 000003
【図２】
2004218329.tif 000004
【図３】
2004218329.tif 000005
【図４】
2004218329.tif 000006
【図５】
2004218329.tif 000007
【図６】
2004218329.tif 000008
【図７】
2004218329.tif 000009
【図８】
2004218329.tif 000010